(57)【要約】  遠心ファン３は、主板３ｂと、シュラウド３ｇと、複数の羽根３ａとを備え、主板３ｂは、ベース３ｃｄと、ハブ３ｃと、ガイド部５１とを含み、ハブ３ｃは、主板３ｃｄの中央部において、シュラウド３ｇ側に向けて突出しており、ベース３ｃｄは、ハブ３ｃの周囲に位置しており、ガイド部５１は、ハブ３ｃの外側に位置しており、ガイド部５１は、転回壁３０と、誘引部３１とを含んでおり、転回壁３０は、縦断面においてみて、ベース３ｃｄの延びる方向に対して傾斜して延びており、誘引部３１は、転回壁３０の上流側のガイド部５１の外側の面に設けられている。
2015104838.tif 000002
【特許請求の範囲】
【請求項１】
主板と、シュラウドと、複数の羽根とを備えた遠心ファンであって、
前記主板は、ベースと、ハブと、ガイド部とを含み、
前記ハブは、前記主板の中央部において、前記シュラウド側に向けて突出しており、
前記ベースは、前記ハブの周囲に位置しており、
前記ガイド部は、前記ハブの外側に位置しており、
前記ガイド部は、転回壁と、誘引部とを含んでおり、
前記転回壁は、縦断面においてみて、前記ベースの延びる方向に対して傾斜して延びており、
前記誘引部は、前記転回壁の上流側の前記ガイド部の外側の面に設けられている、
遠心ファン。
【請求項２】
前記誘引部は、ラウンド部である、
請求項１の遠心ファン。
【請求項３】
前記誘引部は、前記ガイド部の外側に向けて開口する凹部である、
請求項１の遠心ファン。
【請求項４】
前記ガイド部と前記ベースとは、一体成形により構成されている、
請求項１〜３の何れか一項の遠心ファン。
【請求項５】
前記主板に設けられたサブフロー吹出口の画定部と、前記転回壁の内側の面との間には、平坦面が設けられている、
請求項４の遠心ファン。
【請求項６】
前記ガイド部は、少なくとも前記ベース又は前記ハブに溶着されている、
請求項１〜３の何れか一項の遠心ファン。
【請求項７】
前記転回壁の内側の面には、前記主板に設けられたサブフロー吹出口にサブフローを導くガイド面が設けられている、
請求項６の遠心ファン。
【請求項８】
前記ガイド面は、前記主板に設けられたサブフロー吹出口の画定部と面一である、
請求項７の遠心ファン。
【請求項９】
前記ガイド部は、前記ハブの外側の面に溶着されている、
請求項６〜８の何れか一項の遠心ファン。
【請求項１０】
前記ガイド部は、前記ベースに沿って延びる鍔部を含んでおり、
前記鍔部は前記ベースと面接触し、前記ガイド部は、該鍔部において、該ベースに溶着されている、
請求項６〜８の何れか一項の遠心ファン。
【請求項１１】
ケースと、
該ケース内に配置された熱交換器と、
該ケース内に配置された、請求項１〜１０の何れか一項の遠心ファンとを備えた、
空気調和装置。
【請求項１２】
ケースと、
該ケース内に配置されたフィルタと、
該ケース内に配置された、請求項１〜１０の何れか一項の遠心ファンとを備えた、
空気清浄装置。
【発明の詳細な説明】
【技術分野】
【０００１】
本発明は、遠心ファン、空気調和装置及び空気清浄装置に関するものである。
【背景技術】
【０００２】
天井埋込形の空気調和装置においては、空調する部屋に面した装置下面に吸込口及び吹出口が形成されている。そして、吸込口からケース内に吸引した空気を、ケース内に設けられた熱交換器で温度調整した後、吹出口から部屋へと送り出している。【０００３】
空気調和装置の上述した空気の流れは、下方から上向きに空気を吸込み、径方向外側へと流れを転向して空気を吹出す、遠心ファンによって作られる。遠心ファンは、シュラウドと、主板と、それらシュラウド及び主板の間に設けられた複数の羽根とを有している。【０００４】
上記のような遠心ファンによる上向きから径方向外側へと転向する流れ（遠心ファンの主板とシュラウドとの間を流れる流れ）をメインフローとした場合、主板の外側（上側）から主板の内側へと空気が進行するサブフローを発生させている空気調和装置もある。【０００５】
例えば、特許文献１には、主板の中央の上側に、ガイドを設け、このガイドの内外に沿うような空気の流れを生じさせて、サブフローを発生させている。また、主板の中央の上側には、遠心ファンの駆動モータがあり、このサブフローにより、駆動モータの冷却効果が得られることが期待されていた。
【先行技術文献】
【特許文献】
【０００６】
【特許文献１】特許第４６８４０８５号明細書
【発明の概要】
【発明が解決しようとする課題】
【０００７】
ここで、サブフローは、メインフローと比べて流路が狭くなりがちであるので、その分、流れが乱れやすいという懸念がある。【０００８】
本発明は、上記に鑑みてなされたものであり、乱れが生じにくいサブフローを得ることができる遠心ファン等を提供することを目的とする。
【課題を解決するための手段】
【０００９】
上述した目的を達成するための本発明は、主板と、シュラウドと、複数の羽根とを備えた遠心ファンであって、前記主板は、ベースと、ハブと、ガイド部とを含み、前記ハブは、前記主板の中央部において、前記シュラウド側に向けて突出しており、前記ベースは、前記ハブの周囲に位置しており、前記ガイド部は、前記ハブの外側に位置しており、前記ガイド部は、転回壁と、誘引部とを含んでおり、前記転回壁は、縦断面においてみて、前記ベースの延びる方向に対して傾斜して延びており、前記誘引部は、前記転回壁の上流側の前記ガイド部の外側の面に設けられている。
前記誘引部は、ラウンド部であってもよい。あるいは、前記誘引部は、前記ガイド部の外側に向けて開口する凹部であってもよい。
前記ガイド部と前記ベースとは、一体成形により構成されていてもよい。その場合、前記主板に設けられたサブフロー吹出口の画定部と、前記転回壁の内側の面との間には、平坦面が設けられていてもよい。
前記ガイド部は、少なくとも前記ベース又は前記ハブに溶着されていてもよい。その場合、前記転回壁の内側の面には、前記主板に設けられたサブフロー吹出口にサブフローを導くガイド面が設けられていてもよい。また、前記ガイド面は、前記主板に設けられたサブフロー吹出口の画定部と面一であってもよい。さらに、前記ガイド部は、前記ハブの外側の面に溶着されていてもよい。また、前記ガイド部は、前記ベースに沿って延びる鍔部を含んでおり、前記鍔部は前記ベースと面接触し、前記ガイド部は、該鍔部において、該ベースに溶着されていてもよい。
同目的を達成する本発明の空気調和装置は、ケースと、該ケース内に配置された熱交換器と、該ケース内に配置された上述した本発明に係る遠心ファンとを備える。
同目的を達成する本発明の空気清浄装置は、ケースと、該ケース内に配置されたフィルタと、該ケース内に配置された上述した本発明に係る遠心ファンとを備える。
【発明の効果】
【００１０】
本発明によれば、遠心ファンにおいて乱れが生じにくいサブフローを得ることができる。
【図面の簡単な説明】
【００１１】
【図１】本発明の実施の形態１の空気調和装置の設置状態を示す図である。
【図２】本実施の形態１の空気調和装置の内部構造を側方から示した図である。
【図３】本実施の形態１の空気調和装置の内部構成を平面的に示す図である。
【図４】本実施の形態１の遠心ファン及びその周囲部に関する、図２と同態様の図である。
【図５】本実施の形態１のガイド部及びその周辺部を拡大して示す図である。
【図６】本発明の実施の形態２に関する図４と同態様の図である。
【図７】本実施の形態２に関する図５と同態様の図である。
【図８】本実施の形態２に関するガイド部を示す斜視図である。
【図９】本発明の実施の形態３に関する図６と同態様の図である。
【図１０】本実施の形態３に関する図７と同態様の図である。
【図１１】本実施の形態３に関する図８と同態様の図である。
【図１２】本発明の実施の形態４に関する図６と同態様の図である。
【図１３】本実施の形態４に関する図８と同態様の図である。
【図１４】実施の形態１の構成と実施の形態４の構成とを組み合わせた形態に関する、図６と同態様の図である。
【図１５】実施の形態１の構成と実施の形態３、４の構成とを組み合わせた形態に関する、図６と同態様の図である。
【発明を実施するための形態】
【００１２】
以下、本発明の実施の形態について添付図面に基づいて説明する。なお、図中、同一符号は同一又は対応部分を示すものとする。
【００１３】
実施の形態１．
図１は、本発明の実施の形態１の空気調和装置の設置状態を示す図である。図２は、本実施の形態１の空気調和装置の内部構造を側方から示した図である。図３は、本実施の形態１の空気調和装置の内部構成を平面的に示す図である。図４は、本実施の形態１の遠心ファン及びその周囲部に関する、図２と同態様の図である。図５は、本実施の形態１のガイド部及びその周辺部を拡大して示す図（図４のＶ部の拡大図）である。
【００１４】
空気調和装置１００は、いわゆるパッケージエアコンの室内機であり、空気調和装置１００の大部分は、空調対象の空間である部屋１５の天井裏に埋設される。図１は、空気調和装置１００のケース１の下部を室内から見上げた状態を図示している。
【００１５】
空気調和装置１００は、空調対象の空間（部屋１５）の天井１５ａに埋設されたケース１を備えている。ケース１は、一例であるが、概ね直方体状に形成されている。ケース１は、上面部１ａと、側面部１ｂと、下面部である化粧パネル２とを含んでいる。上面部１ａ及び側面部１ｂは、板金部材で構成されている。また、上面部１ａ及び側面部１ｂのそれぞれ内側には断熱材１ｃが配設され、そのような上面部１ａ及び側面部１ｂにより風路壁面が構成されている。
【００１６】
側面部１ｂは、図３に現れているように、直交２軸を指向する４つの主要面２１を有し、さらに、対応する２つの主要面２１の間にコーナー部２２を有している。側面部１ｂは、上下に延びる筒状に形成されており、側面部１ｂの上部は、上面部１ａで閉塞されており、側面部１ｂの下部に化粧パネル２が設けられている。ケース１は、これら上面部１ａ、側面部１ｂ及び化粧パネル２によって概ね箱状に形成されている。
【００１７】
ケース１の下部には、すなわち本実施の形態１では化粧パネル２には、少なくとも一つの吸込口２ａ及び少なくとも一つの吹出口２ｂが設けられている。本実施の形態１の空気調和装置１００では、一例であるが、後述するように１つの吸込口２ａと４つの吹出口２ｂとが設けられている。
【００１８】
ケース１内には、送風部としての遠心ファン（ターボファン）３と、ファンモータ４と、ベルマウス５と、熱交換器６とが収容されている。遠心ファン３は、吸込口２ａからケース１内に吸込まれ吹出口２ｂから対象空間へと吹出される空気の流れを作る。熱交換器６は、そのような空気の流動路中に配置され、空気の温度を調整する。
【００１９】
吸込口２ａは、化粧パネル２の中央部に設けられており、化粧パネル２の広範囲にひろがっている。また、本実施の形態１の吸込口２ａは、グリル（grille）タイプとして設けられているが、本発明は、これに限定されるものではない。吸込口２ａの上流側（ケース１の内部側）には、吸込口２ａを通過した後の空気を除塵するフィルタ１４が設けられている。
【００２０】
一例であるが、本実施の形態１では、化粧パネル２及び吸込口２ａはそれぞれ平面視矩形の外縁を有している。
【００２１】
化粧パネル２の外縁と、吸込口２ａの外縁との間の領域には、複数の吹出口２ｂが設けられている。本実施の形態１では、化粧パネル２及び吸込口２ａそれぞれが、４辺の縁を有していることに対応し、吹出口２ｂは、４つ設けられており、吹出口２ｂそれぞれが、後述するコーナー部を除いて化粧パネル２及び吸込口２ａにおける対応する辺に沿うように配置されている。また、４つの吹出口２ｂは、吸込口２ａを包囲するように位置している。各吹出口２ｂには、吹出す空気の方向を調整する風向板２ｃが設けられている。
【００２２】
ケース１内の中央部には、ファンモータ４が配置されている。ファンモータ４は、ケース１の上面部１ａの下面（ケースの内部空間側）に支持されている。ファンモータ４における下向きに延びる回転軸には、遠心ファン３が取り付けられている。さらに、遠心ファン３と吸込口２ａとの間には、吸込口２ａから遠心ファン３に向かう吸込風路を形成するベルマウス５が設けられている。遠心ファン３は、吸込口２ａからケース１内に空気を吸込み、その空気を吹出口２ｂから対象空間である部屋（室内）１５へと流出させる。
【００２３】
遠心ファン３における径方向外側には、圧損体の一例である熱交換器６が配置されている。換言するならば、熱交換器６は、遠心ファン３によってケース内に生じる空気の流動路中に配置されて、その空気と冷媒との間で熱交換を行う。
【００２４】
熱交換器６は、所定の間隔をあけて配置された複数のフィンと、それらフィンを貫通する伝熱管とを有する。伝熱管は、図示しない周知の室外機に接続配管によって接続されており、それにより熱交換器６には、冷却された冷媒または加熱された冷媒が供給される。
【００２５】
また、熱交換器６の２つの端部６ａは熱交換器連結板７で連結されている。熱交換器連結板７の外側には、側面部側断熱材１ｄとの間において、空間が形成されており、その空間の上下が上面部１ａ及びドレンパン１２によってふさがれ、配管収納スペース１０が構成されている。配管収納スペース１０内には、２つの端部６ａのうちの一方の端部６ａから延びた伝熱管６ｂに接続されたヘッダー８と分配器９とが配置されている。
【００２６】
熱交換器６の下方には、凝縮水を一時貯留するためのドレンパン１２が設けられている。さらに、ドレンパン１２の裏側には、電子基板を収納する電気品箱１３が設けられている。なお、遠心ファン３、ベルマウス５、熱交換器６の構成や態様は特に限定されるものではなく、本実施の形態１では周知のものが用いられている。
【００２７】
このような構成において、遠心ファン３が矢印Ａの方向に回転すると、部屋１５の空気が、矢印Ｂに示されるように、化粧パネル２の吸込口２ａに吸い込まれる。そして、フィルタ１４において除塵された空気は、ベルマウス５によって案内されて遠心ファン３に吸い込まれる。さらに、遠心ファン３では、下方から上方に向かって吸い込まれた空気が、矢印Ｃ１で示されるように、水平方向に、且つ、径方向でいう外側方向に、ファン吹出口３ｉから吹き出される。そのように吹き出された空気は、圧損体である熱交換器６を通過する際に、熱交換及び湿度調整された後、流れ方向を下方に変更して、吹出口２ｂそれぞれから部屋１５に吹き出される。また、部屋１５への吹き出しは、風向板２ｃにより風向を制御される。
【００２８】
ここで、空気調和装置１００のケース１内の流れについて説明する。ケース１内では、メインフローと、サブフローとが生じている。メインフローは、上述したように矢印Ｂ及びＣ１で示される流れである。すなわち、メインフローは、ベルマウス５から流出した遠心ファン３内に流入し、遠心ファン３の後述する主板３ｂとシュラウド３ｇとの間の空間を流れ、ファン吹出口３ｉから流出する流れである。サブフローは、矢印Ｃ２、Ｅ１及びＥ２で示される流れである。すなわち、サブフローは、ファン吹出口３ｉの径方向外側の空間から、遠心ファン３の上側（遠心ファン３と上面部１ａとの間）を通り、回転軸付近の中央部から遠心ファン３の内部へと流れ、メインフローと合流する流れであるが、詳細は後述する。
【００２９】
次に、遠心ファン３の詳細について説明する。遠心ファン３は、複数の羽根３ａと、主板３ｂと、シュラウド３ｇとを備えている。
【００３０】
シュラウド３ｇは、羽根３ａへの吸込案内流路を形成する、平面視、円環状の部材である。シュラウド３ｇは、主板３ｂと、遠心ファン３の回転軸ＲＡの方向に対向し、且つ、遠心ファン３の回転軸ＲＡの方向に離れて設けられている。主板３ｂは、ケース１の上面部１ａ側に設けられており、シュラウド３ｇは、ベルマウス５側に設けられている。
【００３１】
これらシュラウド３ｇと主板３ｂとの間に、複数の羽根３ａが溶着されている。すなわち、それぞれの羽根３ａの一端は、主板３ｂに溶着されており、それぞれの羽根３ａの他端は、シュラウド３ｇに溶着されている。
【００３２】
主板３ｂは、ベース３ｃｄと、ハブ３ｃと、ガイド部５１とを含んでいる。少なくともガイド部５１とベース３ｃｄとは、一体成形により構成されている。一例であるが、本実施の形態１では、ベース３ｃｄと、ハブ３ｃと、ガイド部５１とが一体成形により構成されている。
【００３３】
ハブ３ｃは、主板３ｂの中央部（遠心ファン３の回転軸ＲＡ及びその近傍部）において、シュラウド３ｇ側に向けて突出している。ハブ３ｃは、回転軸ＲＡ側ほど縮径しており、且つ、回転軸ＲＡ側に近づくほどシュラウド３ｇに近づく部分を含んでいる。このハブ３ｃの外側（上側）にあるファン中央部外側風路３ｆ内に、前述したファンモータ４が配置されている。
【００３４】
ここで、遠心ファン３に関する各部の「外側」・「内側」については、次のようにして定めている。まず、その部分における「内側」とは、その部材における主板とシュラウドとに挟まれた空間側を内側としている。また、その部分における「外側」とは、その部材における主板とシュラウドとで挟まれた空間との反対側を外側としている。よって、この「外側」・「内側」の取り決めに基づいて述べると、後述する転回壁３０の外側の面は、転回壁３０の上側の面であり、転回壁３０の内側の面は、転回壁３０の下側（ハブ３ｃ側・シュラウド３ｇ側）の面であり、ハブ３ｃの外側の面は、ハブ３ｃの上側（転回壁３０側）の面であり、ハブ３ｃの内側（シュラウド３ｇ側）の面となる。
【００３５】
ハブ３ｃの突出端３ｃｂには、ファンモータ４の回転軸４ａを固定するボス３ｈが一体に成形されている。
【００３６】
ベース３ｃｄは、ハブ３ｃの周囲に位置する部分である。ベース３ｃｄは、その外周縁が平面視円形となる、円環状の部分である。また、一例であるが、ベース３ｃｄは、概ね平坦なプレート状の部分であり、一つの面に沿って延びている。
【００３７】
ガイド部５１は、ハブ３ｃの外側に位置している。ガイド部５１は、転回壁３０と、誘引部３１とを含んでいる。転回壁３０は、縦断面においてみて（図４及び図５においてみて）、ベース３ｃｄの延びる方向に対して傾斜して延びている。転回壁３０は、ハブ３ｃと離れて延びており、ハブ３ｃとの間でサブフローの流路の一部を構成している。
【００３８】
さらに、転回壁３０は、転回壁３０の外側を流れた符号Ｅ１で示すサブフローを、符号Ｅ２で示すように、転回壁３０の内側及びハブ３ｃの外側の間の流路を流れるように案内し、さらに、主板３ｂに設けられたサブフロー吹出口３ｄへと案内する。
【００３９】
誘引部３１は、転回壁３０の上流側（サブフローの上流側）のガイド部５１の外側の面に設けられている。誘引部３１は、ベース３ｃｄの外側の面と、転回壁３０の外側の面とを滑らかにつなぐラウンド部であり、ガイド部５１の外側に向けて膨らむように湾曲している面である。誘引部３１は、ベース３ｃｄの外側から転回壁３０の外側へと流れるサブフローの剥離を抑制する。
【００４０】
主板３ｂには、主板３ｂの外側（ファン中央部外側風路３ｆ）と内側（ファン内部風路３ｅ）とを連通する貫通穴である少なくとも一つの（本実施の形態１では複数の）サブフロー吹出口３ｄが設けられている。より詳細には、サブフロー吹出口３ｄは、転回壁３０のシュラウド３ｇ側の先端部である先端開口部３０ａよりも、回転軸ＲＡの延びる方向に関してみて、ベース３ｃｄ側に配置されている。具体的には、先端開口部３０ａは、ハブ３ｃに設けられている。
【００４１】
主板３ｂに設けられたサブフロー吹出口３ｄの画定部３ｓと、転回壁３０の内側の面との間には、平坦面３２が設けられている。かかる平坦面３２は、主板３ｂに設けられたサブフロー吹出口３ｄにサブフローを導くガイド面となる。
【００４２】
このような構成に基づき、サブフローとして、ファン吹出口３ｉから流出した空気の一部は、符号Ｃ２に示されるように、ベース３ｃｄの外側の面と上面部１ａ側の断熱材１ｃとの隙間を、径方向内側へと流れ（回転軸ＲＡに向かって流れ）、誘引部３１により、符号Ｅ１に示されるように、ベース３ｃｄの外側の面から転回壁３０の外側の面に沿って流れ、さらに、符号Ｅ２に示されるように、転回壁３０の内側の面とハブ３ｃの外側の面との隙間を、径方向外側へと流れ、サブフロー吹出口３ｄから主板３ｂとシュラウド３ｇとの間の空間（ファン内部風路３ｅ）へと流出して、メインフローと合流する。
【００４３】
以上のように構成された本実施の形態１の遠心ファン及び空気調和装置によれば、次のような利点が得られる。まず、メインフローの流れに伴い、ファン中央部外側風路を流れるサブフローが得られるので、かかるサブフローがファンモータの周囲を流れることで、ファンモータの冷却を行うことができる。また、サブフローがファン中央部外側風路に流入する際、転回壁の上流に、曲面からなる誘引部が設けられているので、流れは剥離しにくく転回壁の外側の面に沿って流れる効果が得られ、乱れが生じにくいサブフローを得ることができる。特に、ファン中央部外側風路に流入する際、サブフローが転回壁の外側の面に沿って流れなくなると、乱れに起因した騒音が増大したり、有効通過面積の減少によるモータ冷却性の低下が生じたりするところ、本実施の形態１では、乱れが生じにくいサブフローを得ることで、騒音の増加を防止できると共に、十分なモータ冷却効果によるモータ駆動の信頼性向上を図ることできる。
【００４４】
また、本実施の形態１では、サブフロー吹出口へのガイド面である平坦面が設けられているので、ハブの外側の面と転回壁の内側の面との間を流れた際、サブフローが、サブフロー吹出口を行き過ぎて進行し、後続のサブフローと衝突したりあるいは後続のサブフローに阻害されたりすることで、流れが淀むようなことがなく、サブフローを円滑にすることができる利点もある。
【００４５】
また、サブフロー吹出口からファン内部風路へ放出されるモータ冷却後の流れは、ハブの延長方向とベースの延長方向とが交差する角部付近の領域に放出されるので、サブフローがメインフローに合流する時の乱れを抑制することができ、それによる低騒音化も図ることができる。
【００４６】
また、本実施の形態１では、ガイド部とベースとが一体成形により構成されているので、ベースの外側の面から、誘引部を経る、転回壁の外側の面までが、凹凸の極めて少ない一続きの面を得ることができ、それによっても、サブフローの乱れを低減することができる。
【００４７】
また、ガイド面と、サブフロー吹出口の画定部とは、同一の面であり、換言すると、ガイド面と、サブフロー吹出口の画定部とは、連続しており、サブフロー吹出口の画定部は、ガイド面を構成する面の出口部分である。よって、凹凸に起因したサブフローの損失を抑制することができ、凹凸の極めて少ない吹出部を提供することでサブフローの乱れを低減することができる。
【００４８】
実施の形態２．
次に、図６〜図８に基づいて本発明の実施の形態２について説明する。図６及び図７はそれぞれ、本実施の形態２に関する図４及び図５と同態様の図である。図８は、本実施の形態２に関するガイド部を示す斜視図である。なお、本実施の形態２は、以下に説明する部分を除いては、上記実施の形態１と同様であるものとする。
【００４９】
主板２０３ｂは、ベース３ｃｄと、ハブ３ｃと、ガイド部２５１とを含む。ガイド部２５１は、ハブ３ｃの外側に位置しており、転回壁３０と、誘引部３１と、鍔部２３３とを含んでいる。鍔部２３３は、ベース３ｃｄに沿って径方向外側へと延びている。
【００５０】
ガイド部２５１は、ベース３ｃｄ及びハブ３ｃとは別体であり、少なくともベース３ｃｄ又はハブ３ｃに溶着されている。本実施の形態２では、ガイド部２５１の鍔部２３３は、ベース３ｃｄと面接触しており、ガイド部２５１は、この鍔部２３３の内側の面において、ベース３ｃｄの外側の面に溶着されている。
【００５１】
転回壁３０の内側の面には、主板３ｂに設けられたサブフロー吹出口３ｄにサブフローを導くガイド面２３２が設けられている。ガイド面２３２は、主板３ｂに設けられたサブフロー吹出口３ｄの画定部３ｓと面一となるように設けられている。
【００５２】
以上のように構成された本実施の形態２においても、実施の形態１と同様、乱れが生じにくいサブフローを得ることで、騒音の増加を防止できると共に、十分なモータ冷却効果によるモータ駆動の信頼性向上を図ることできる。
【００５３】
また、サブフロー吹出口へのガイド面が設けられているので、実施の形態１と同様、ハブの外側の面と転回壁の内側の面との間を流れた際、サブフローが、サブフロー吹出口を行き過ぎて進行し、後続のサブフローと衝突したりあるいは後続のサブフローに阻害されたりすることで、流れが淀むようなことがなく、サブフローを円滑にすることができる利点がえられる。
【００５４】
また、実施の形態１と同様、サブフロー吹出口からファン内部風路へ放出されるモータ冷却後の流れは、ハブの延長方向とベースの延長方向とが交差する角部付近の領域に放出されるので、サブフローがメインフローに合流する時の乱れを抑制することができ、それによる低騒音化も図ることができる。
【００５５】
また、ガイド部がベース及びハブと別体であるので、モータのサイズが変更されても、ガイド部のみを交換するだけで、遠心ファン全体を新規製作する必要がなく、汎用性がある実施態様を提供することができ、また、大きな金型を製作しなおすことが不要となることで省資源及びコスト低減を図ることができる。
【００５６】
さらに、ガイド部は、鍔部において、主板のベースに溶着されるので、ガイド部とベースとの溶着免責を大きく確保することができ、ガイド部とベースとの密着性を向上させて接続強度を上げることができる。また、ガイド部は、この鍔部の内側の面において、ベースの外側の面に接触するので、ガイド部が下方に脱落することを確実に防止することができる。
【００５７】
実施の形態３．
次に、図９〜図１１に基づいて本発明の実施の形態３について説明する。図９〜図１１はそれぞれ、本実施の形態３に関する図６〜図８と同態様の図である。なお、本実施の形態３は、以下に説明する部分を除いては、上記実施の形態１又は２の対応する構成と同様であるものとする。
【００５８】
主板３０３ｂは、ベース３ｃｄと、ハブ３ｃと、ガイド部３５１とを含む。ガイド部３５１は、転回壁３０と、誘引部３３１と、鍔部２３３とを含んでいる。誘引部３３１は、ガイド部３５１の外側に向けて開口する凹部である。
【００５９】
ガイド部３５１は、ベース３ｃｄ及びハブ３ｃとは別体であり、少なくともベース３ｃｄ又はハブ３ｃに溶着されている。本実施の形態３では、ガイド部３５１は、鍔部２３３の内側の面において、ベース３ｃｄの外側の面に溶着されている。
【００６０】
転回壁３０の内側の面には、主板３ｂに設けられたサブフロー吹出口３ｄにサブフローを導くガイド面２３２が設けられている。ガイド面２３２は、主板３ｂに設けられたサブフロー吹出口３ｄの画定部３ｓと面一となるように設けられている。
【００６１】
以上のように構成された本実施の形態３においては、転回壁の上流に、凹部からなる誘引部が設けられているので、サブフローがファン中央部外側風路に流入する際、凹部による負圧によってサブフローがガイド部の外側の面に向けて引き寄せられ、それによって、流れは剥離しにくく転回壁の外側の面に沿って流れる効果が得られ、乱れが生じにくいサブフローを得ることができる。よって、実施の形態１と同様、乱れが生じにくいサブフローを得ることで、騒音の増加を防止できると共に、十分なモータ冷却効果によるモータ駆動の信頼性向上を図ることできる。
【００６２】
また、サブフロー吹出口へのガイド面が設けられているので、実施の形態１と同様、ハブの外側の面と転回壁の内側の面との間を流れた際、サブフローが、サブフロー吹出口を行き過ぎて進行し、後続のサブフローと衝突したりあるいは後続のサブフローに阻害されたりすることで、流れが淀むようなことがなく、サブフローを円滑にすることができる利点がえられる。
【００６３】
また、実施の形態１と同様、サブフロー吹出口からファン内部風路へ放出されるモータ冷却後の流れは、ハブの延長方向とベースの延長方向とが交差する角部付近の領域に放出されるので、サブフローがメインフローに合流する時の乱れを抑制することができ、それによる低騒音化も図ることができる。
【００６４】
また、ガイド部がベース及びハブと別体であるので、モータのサイズが変更されても、ガイド部のみを交換するだけで、遠心ファン全体を新規製作する必要がなく、汎用性がある実施態様を提供することができ、また、大きな金型を製作しなおすことが不要となることで省資源及びコスト低減を図ることができる。
【００６５】
さらに、ガイド部は、鍔部において、主板のベースに溶着されるので、ガイド部とベースとの溶着免責を大きく確保することができ、ガイド部とベースとの密着性を向上させて接続強度を上げることができる。また、ガイド部は、この鍔部の内側の面において、ベースの外側の面に接触するので、ガイド部が下方に脱落することを確実に防止することができる。
【００６６】
実施の形態４．
次に、図１２及び図１３に基づいて本発明の実施の形態４について説明する。図１２及び図１３はそれぞれ、本実施の形態４に関する図６及び図８と同態様の図である。なお、本実施の形態４は、以下に説明する部分を除いては、上記実施の形態１〜３の対応する構成と同様であるものとする。
【００６７】
主板４０３ｂは、ベース３ｃｄと、ハブ３ｃと、ガイド部４５１とを含む。ガイド部４５１は、転回壁３０と、誘引部３３１とを含んでいる。誘引部３３１は、ガイド部４５１の外側に向けて開口する凹部である。
【００６８】
ガイド部４５１は、ベース３ｃｄ及びハブ３ｃとは別体であり、少なくともベース３ｃｄ又はハブ３ｃに溶着されている。本実施の形態４では、ガイド部４５１は、誘引部３３１の反対側となるガイド部４５１の内側の面において、ハブ３ｃの外側の面に溶着されている。また、先端開口部３０ａ（組み付け後の下端）と反対側の端部であるガイド部４５１の上端は、主板４０３ｂのベース３ｃｄの外側の面と面一になっている。
【００６９】
転回壁３０の内側の面には、主板３ｂに設けられたサブフロー吹出口３ｄにサブフローを導くガイド面２３２が設けられている。ガイド面２３２は、主板３ｂに設けられたサブフロー吹出口３ｄの画定部３ｓと面一となるように設けられている。
【００７０】
以上のように構成された本実施の形態４においては、転回壁の上流に、凹部からなる誘引部が設けられているので、サブフローがファン中央部外側風路に流入する際、凹部による負圧によってサブフローがガイド部の外側の面に向けて引き寄せられ、それによって、流れは剥離しにくく転回壁の外側の面に沿って流れる効果が得られ、乱れが生じにくいサブフローを得ることができる。よって、実施の形態１と同様、乱れが生じにくいサブフローを得ることで、騒音の増加を防止できると共に、十分なモータ冷却効果によるモータ駆動の信頼性向上を図ることできる。
【００７１】
また、サブフロー吹出口へのガイド面が設けられているので、実施の形態１と同様、ハブの外側の面と転回壁の内側の面との間を流れた際、サブフローが、サブフロー吹出口を行き過ぎて進行し、後続のサブフローと衝突したりあるいは後続のサブフローに阻害されたりすることで、流れが淀むようなことがなく、サブフローを円滑にすることができる利点がえられる。
【００７２】
また、実施の形態１と同様、サブフロー吹出口からファン内部風路へ放出されるモータ冷却後の流れは、ハブの延長方向とベースの延長方向とが交差する角部付近の領域に放出されるので、サブフローがメインフローに合流する時の乱れを抑制することができ、それによる低騒音化も図ることができる。
【００７３】
また、ガイド部がベース及びハブと別体であるので、モータのサイズが変更されても、ガイド部のみを交換するだけで、遠心ファン全体を新規製作する必要がなく、汎用性がある実施態様を提供することができ、また、大きな金型を製作しなおすことが不要となることで省資源及びコスト低減を図ることができる。
【００７４】
また、ガイド部の上端は、主板のベースの外側の面と面一になっているので、主板のベースの外側の面を流れるサブフローにおいて、誘引部の手前で凹凸に起因した乱れが発生することを防止することができる。
【００７５】
以上、好ましい実施の形態を参照して本発明の内容を具体的に説明したが、本発明の基本的技術思想及び教示に基づいて、当業者であれば、種々の改変態様を採り得ることは自明である。
【００７６】
本発明は、上述した各実施の形態そのものに限定されるものではなく、上述した各実施の形態の特徴的構成を、組み合わせて実施することも可能である。例えば、図１４に示されるように、遠心ファンは、実施の形態１のラウンド部である誘引部３１を備える構成と、実施の形態４のようなベース３ｃｄ及びハブ３ｃとガイド部５５１とが別体であり且つ誘引部３１の反対側となるガイド部５５１の内側の面においてハブ３ｃの外側の面に溶着されている構成とを組み合わせた態様を有していてもよい。
【００７７】
あるいは他の例として、図１５に示されるように、遠心ファンは、実施の形態１のようなベース３ｃｄ及びハブ３ｃとガイド部６５１とが一体成形された主板６０３ｂを有する構成と、実施の形態３、４の凹部である誘引部３３１を備える構成とを組み合わせた態様を有していてもよい。
【００７８】
また、上述した実施の形態では、サブフローは、ファン中央部外側風路にあるモータの冷却流としての役割を有するものとして説明してきたが、本発明は、これに限定されるものではない。遠心ファンを有する装置のなかには、ファン中央部外側風路にファンモータが配置されていないレイアウトを採用しているものもあり得るが、この場合でも、流れが転向される遠心ファンにおいては、ファン中央部外側が死水域となる。よって、本発明は、ファン中央部外側風路にファンモータが無いレイアウトにおいて、サブフローが得られることで、死水域の存在に伴う乱れの影響を低減することができる構造として実施することも可能である。
【００７９】
また、上述した実施の形態で示した熱交換器は、空気調和装置において遠心ファンで生じた空気の流動路中に置かれた圧損体の一例に過ぎない。よって、例えば、空気清浄装置において遠心ファンで生じた空気の流動路中に置かれた圧損体としては、空気清浄フィルタを挙げることができる。つまり、本発明は、空気清浄装置として実施することもできる。
【符号の説明】
【００８０】
３  遠心ファン、３ａ  羽根、３ｂ，２０３ｂ，３０３ｂ，４０３ｂ，６０３ｂ  主板、３ｃ  ハブ、３ｃｄ  ベース、３ｄ  サブフロー吹出口、３ｅ  ファン内部風路、３ｆ  ファン中央部外側風路、３ｇ  シュラウド、３０  転回壁、３０ａ  先端開口部、３１，３３１  誘引部、３２  平坦面、５１，２５１，３５１，４５１，５５１，６５１  ガイド部、１００  空気調和装置、２３２  ガイド面、２３３  鍔部。
【図１】
2015104838.tif 000003
【図２】
2015104838.tif 000004
【図３】
2015104838.tif 000005
【図４】
2015104838.tif 000006
【図５】
2015104838.tif 000007
【図６】
2015104838.tif 000008
【図７】
2015104838.tif 000009
【図８】
2015104838.tif 000010
【図９】
2015104838.tif 000011
【図１０】
2015104838.tif 000012
【図１１】
2015104838.tif 000013
【図１２】
2015104838.tif 000014
【図１３】
2015104838.tif 000015
【図１４】
2015104838.tif 000016
【図１５】
2015104838.tif 000017
【手続補正書】
【提出日】平成28年5月27日(2016.5.27)
【手続補正１】
【補正対象書類名】特許請求の範囲
【補正対象項目名】全文
【補正方法】変更
【補正の内容】
【特許請求の範囲】
【請求項１】
主板と、シュラウドと、複数の羽根とを備えた遠心ファンであって、
前記主板は、ベースと、ハブと、ガイド部とを含み、
前記ハブは、前記主板の中央部において、前記シュラウド側に向けて突出しており、
前記ベースは、前記ハブの周囲に位置しており、
前記ガイド部は、前記ハブの外側に位置しており、
前記ガイド部は、転回壁と、誘引部とを含んでおり、
前記転回壁は、縦断面においてみて、前記ベースの延びる方向に対して傾斜して延びており、
前記誘引部は、前記転回壁の上流側の前記ガイド部の外側の面に設けられており、
前記ガイド部と前記ベースとは、一体成形により構成されており、
前記主板に設けられたサブフロー吹出口の画定部と、前記転回壁の内側の面との間には、平坦面が設けられている、
遠心ファン。
【請求項２】
前記誘引部は、ラウンド部である、
請求項１の遠心ファン。
【請求項３】
前記誘引部は、前記ガイド部の外側に向けて開口する凹部である、
請求項１の遠心ファン。
【請求項４】
ケースと、
該ケース内に配置された熱交換器と、
該ケース内に配置された、請求項１〜３の何れか一項の遠心ファンとを備えた、
空気調和装置。
【請求項５】
ケースと、
該ケース内に配置されたフィルタと、
該ケース内に配置された、請求項１〜３の何れか一項の遠心ファンとを備えた、
空気清浄装置。
【請求項６】
主板と、シュラウドと、複数の羽根とを備えた遠心ファンであって、
前記主板は、ベースと、ハブと、ガイド部とを含み、
前記ハブは、前記主板の中央部において、前記シュラウド側に向けて突出しており、
前記ベースは、前記ハブの周囲に位置しており、
前記ガイド部は、前記ハブの外側に位置しており、
前記ガイド部は、転回壁と、誘引部とを含んでおり、
前記転回壁は、縦断面においてみて、前記ベースの延びる方向に対して傾斜して延びており、
前記誘引部は、前記転回壁の上流側の前記ガイド部の外側の面に設けられており、
前記ガイド部は、少なくとも前記ベース又は前記ハブに溶着されており、
前記転回壁の内側の面には、前記主板に設けられたサブフロー吹出口にサブフローを導くガイド面が設けられており、
前記ガイド面は、前記主板に設けられたサブフロー吹出口の画定部と面一である、
遠心ファン。
【請求項７】
前記誘引部は、ラウンド部である、
請求項６の遠心ファン。
【請求項８】
前記誘引部は、前記ガイド部の外側に向けて開口する凹部である、
請求項６の遠心ファン。
【請求項９】
前記ガイド部は、前記ハブの外側の面に溶着されている、
請求項６〜８の何れか一項の遠心ファン。
【請求項１０】
前記ガイド部は、前記ベースに沿って延びる鍔部を含んでおり、
前記鍔部は前記ベースと面接触し、前記ガイド部は、該鍔部において、該ベースに溶着されている、
請求項６〜８の何れか一項の遠心ファン。
【請求項１１】
ケースと、
該ケース内に配置された熱交換器と、
該ケース内に配置された、請求項６〜１０の何れか一項の遠心ファンとを備えた、
空気調和装置。
【請求項１２】
ケースと、
該ケース内に配置されたフィルタと、
該ケース内に配置された、請求項６〜１０の何れか一項の遠心ファンとを備えた、
空気清浄装置。
【国際調査報告】
2015104838.tif 000018
2015104838.tif 000019
2015104838.tif 000020
2015104838.tif 000021